(57)【要約】【課題】制御盤の更新のために必要なスペースを容易に確保することができるとともに、短期間で、且つ簡単な作業によって既設の配線を新しい制御盤に切り替えることができる制御盤の更新方法を得る。【解決手段】先ず、カード側端子台４に対応するカード側端子受け１２、及び、カード側端子受け１２の各端子に接続された中継端子１１が内蔵された中継枠７を、稼動中の既設制御盤１の所定位置に取り付け、既設制御盤１の稼動中に、中継枠７内の中継端子１１及び新設制御盤５の制御装置６間に延長ケーブル１３を接続する。そして、既設制御盤１を停止した後、カード側端子台４を、既設制御盤１の制御装置２から外して中継枠７内のカード側端子受け１２に接続する。【選択図】図１
2008289280.tif 000002
【特許請求の範囲】
【請求項１】
既設制御盤の制御装置にカード側端子台を介して接続された既設配線を、新設制御盤の制御装置に切り替えて更新する制御盤の更新方法であって、
前記カード側端子台に対応するカード側端子受け、及び、前記カード側端子受けの各端子に接続された中継端子が内蔵された中継枠を、稼動中の前記既設制御盤の所定位置に取り付けるステップと、
前記既設制御盤の稼動中に、前記中継枠内の前記中継端子及び前記新設制御盤の制御装置間に延長ケーブルを接続するステップと、
前記既設制御盤を停止した後、前記カード側端子台を、前記既設制御盤の制御装置から外して前記中継枠内の前記カード側端子受けに接続するステップと、
を備えたことを特徴とする制御盤の更新方法。
【請求項２】
延長ケーブルは、中継枠の天井部から垂れ下げられた一端部に、中継端子が接続されたことを特徴とする請求項１に記載の制御盤の更新方法。
【請求項３】
制御ケーブルは、その一端部が、中継枠の底部に形成されたケーブル取出口を通って、中継端子に接続されたことを特徴とする請求項１に記載の制御盤の更新方法。
【請求項４】
既設制御盤の稼動中に、前記既設制御盤の制御装置を前記既設制御盤から取り外すステップと、
を備え、
制御ケーブルは、その一端部が、前記既設制御盤の裏面に形成されたケーブル取出口を通って、中継端子に接続されたことを特徴とする請求項１に記載の制御盤の更新方法。
【請求項５】
既設制御盤の稼動中に、前記既設制御盤の制御装置を前記既設制御盤から取り外し、新設制御盤の制御装置を前記既設制御盤に取り付けるステップと、
を備え、
制御ケーブルは、前記既設制御盤及び中継枠の内部で、中継端子及び前記新設制御盤の制御装置間に接続されたことを特徴とする請求項１に記載の制御盤の更新方法。
【発明の詳細な説明】
【技術分野】
【０００１】
この発明は、既設の制御盤から新しい制御盤に配線を切り替えて更新する制御盤の更新方法に関するものである。
【背景技術】
【０００２】
多数の配線が接続された制御装置を有する既設の制御盤（以下、「既設制御盤」ともいう）を、新しい制御盤（以下、「新設制御盤」ともいう）に更新する場合、従来では、図６に示す方法が採用されていた。即ち、先ず、更新が必要な既設制御盤１の近くに、新設制御盤５を設置する。また、既設制御盤１内に中継端子台１７を準備し、新設制御盤５から中継端子台１７に予め延長ケーブル１８を接続しておく。そして、制御盤の更新期間中に、既設の配線３を加工して中継ケーブル１９を作成し、この中継ケーブル１９を中継端子台１７に接続する。
以上の手順によって既設の配線を新しい制御盤に接続していた。
【０００３】
また、制御盤の更新方法に関する従来技術として、新設制御盤からの延長ケーブルと既設制御盤への既設の配線とをＰＴコネクタを使用して接続した後、この接続部分を恒久処理するものが提案されている（例えば、特許文献１参照）。
【０００４】
【特許文献１】特開２００６−３１１６３１号公報
【発明の開示】
【発明が解決しようとする課題】
【０００５】
従来の制御盤の更新方法では、既設制御盤１内に中継端子台１７を設置するためのスペースが必要となったり、新設制御盤５と中継端子台１７とを接続する延長ケーブル１８のための収納スペースが必要となったりするといった問題があった。また、既設配線３を中継端子台１７に接続するために、制御盤の更新期間中に、既設配線３を加工して中継ケーブル１９を作成する必要があり、設備の停止期間が長くなるといった問題もあった。
【０００６】
一方、特許文献１記載のものも、配線毎にＰＴコネクタを使用した接続作業が必要となるため、その作業に長時間を要し、設備の停止期間が長くなるといった問題があった。
【０００７】
この発明は、上述のような課題を解決するためになされたもので、その目的は、制御盤の更新のために必要なスペースを容易に確保することができるとともに、短期間で、且つ簡単な作業によって既設の配線を新しい制御盤に切り替えることができる制御盤の更新方法を提供することである。
【課題を解決するための手段】
【０００８】
この発明に係る制御盤の更新方法は、既設制御盤の制御装置にカード側端子台を介して接続された既設配線を、新設制御盤の制御装置に切り替えて更新する制御盤の更新方法であって、カード側端子台に対応するカード側端子受け、及び、カード側端子受けの各端子に接続された中継端子が内蔵された中継枠を、稼動中の既設制御盤の所定位置に取り付けるステップと、既設制御盤の稼動中に、中継枠内の中継端子及び新設制御盤の制御装置間に延長ケーブルを接続するステップと、既設制御盤を停止した後、カード側端子台を、既設制御盤の制御装置から外して中継枠内のカード側端子受けに接続するステップと、を備えたものである。
【発明の効果】
【０００９】
この発明によれば、制御盤の更新のために必要なスペースを容易に確保することができるとともに、短期間で、且つ簡単な作業によって既設の配線を新しい制御盤に切り替えることができるようになる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１における制御盤の更新方法を説明するための図、図２はこの発明の実施の形態１における中継枠の構成を示す図である。図１において、１はその内部に制御装置２が収納された既設の制御盤（既設制御盤）である。既設制御盤１への多数の配線（既設配線）３は、制御装置２のカード側端子台４に接続されている。５は制御盤の更新のために、既設制御盤１に隣接するように配置された新しい制御盤（新設制御盤）、６は新設制御盤５の内部に収納された制御装置である。
【００１２】
７は制御盤の更新の際に、既設制御盤１に取り付けられる中継枠である。この中継枠７は、例えば、外形が既設制御盤１とほぼ同じ大きさの四角筒状を呈し、既設制御盤１の所定位置（例えば、正面）に取り付けることができる所定の構成を有している。また、中継枠７には、図２に示すように、中継パネル８が内蔵され、その上面に天井ケーブルダクト９が備えられている。上記中継パネル８は、複数台の中継ユニット１０によって構成され、各中継ユニット１０には、中継端子１１とカード側端子受け１２とが設けられている。なお、上記カード側端子受け１２は、各端子がカード側端子台４に対応して設けられている。また、中継端子１１の各端子とカード側端子受け１２の各端子とは、その中継ユニット１０内部で、対応の端子毎に接続されている。
【００１３】
そして、新設制御盤５の制御装置６と各中継ユニット１０の上記中継端子１１とは、延長ケーブル１３によって接続されている。なお、延長ケーブル１３は、上記天井ケーブルダクト９を通過するように配線されており、中継枠７の天井部から垂れ下げられた各一端部に、上記中継端子１１が接続されている。
【００１４】
次に、既設制御盤１から新設制御盤５に既設配線３を切り替えて更新する際の更新手順について具体的に説明する。
先ず、設備を停止せずに、以下の準備作業を行う。
ａ）中継ユニット１０が内蔵された中継枠７を用意し、中継枠７を稼動中の既設制御盤１の所定位置に取り付ける。
ｂ）新設制御盤５を搬入し、既設制御盤１の近傍に配置する。
ｃ）中継ユニット１０の中継端子１１と新設制御盤５の制御装置６との間に、延長ケーブル１３を接続する。
上記手順ａ乃至ｃを実施することにより、図１に示す状態となる。
【００１５】
次に、制御盤を更新するために定められた期間（以下、「更新期間」という）中に、設備を停止し、以下の作業を行う。
ｄ）既設制御盤１の制御装置２から、既設配線３が接続されたカード側端子台４を取り外す。
ｅ）制御装置２から取り外されたカード側端子台４を、中継ユニット１０のカード側端子受け１２に接続する。
上記手順ｄ及びｅを実施することにより、既設配線３を、中継ユニット１０を経由して新設制御盤５の制御装置６に接続することができる。
【００１６】
即ち、中継端子１１の各端子とカード側端子受け１２の各端子とは、中継ユニット１０の内部で接続されているため、既設配線３が接続されたカード側端子台４をカード側端子受け１２に接続することにより、既設配線３の信号を、中継端子１１から取り出すことができるようになる。また、中継端子１１と新設制御盤５の制御装置６とには予め延長ケーブル１３が接続されているため、中継端子１１から取り出された既設配線３の信号は、延長ケーブル１３を介して制御装置６に入力される。
【００１７】
したがって、既設配線３の信号が正確に制御装置６に入力されるように、更新期間前に予め中継ユニット１０を準備しておけば、更新期間中は、カード側端子台４の接続といった簡単な作業のみによって、既設配線３を新設制御盤５に切り替えることが可能となる。即ち、更新期間中に、従来のように既設配線３の加工等を行う必要はない。このため、更新期間を従来よりも大幅に短縮させることができ、設備の停止期間を最小限に抑えることができるようになる。
【００１８】
また、中継枠７に天井ケーブルダクト９を設けることにより、延長ケーブル１３を、中継枠７の天井部から垂れ下げた状態に配置することができる。このため、中継パネル８の設置スペースや延長ケーブル１３の収納スペースを容易に確保でき、延長ケーブル１３が床面に氾濫するようなことも防止できる。
【００１９】
実施の形態２．
図３はこの発明の実施の形態２における制御盤の更新方法を説明するための図である。図３において、中継枠７には、その底部にケーブル取出口１４が形成されている。なお、中継枠７には、実施の形態１における天井ケーブルダクト９は備えられていない。そして、新設制御盤５の制御装置６からの延長ケーブル１３は、上記ケーブル取出口１４を通って、その一端部が各中継ユニット１０の中継端子１１に接続されている。即ち、既設配線３を既設制御盤１から新設制御盤５に切り替える際の上記手順ｃにおいて、図３に示す状態となるように、延長ケーブル１３の接続作業を行う。
【００２０】
上記構成を有することにより、中継ユニット１０と新設制御盤５との接続を、既設制御盤１の下部で行うことができるようになる。その他は、実施の形態１と同様の構成を有しており、実施の形態１の場合と同様の更新手順を実施することによって、同様の効果を奏することが可能となる。
【００２１】
実施の形態３．
図４はこの発明の実施の形態３における制御盤の更新方法を説明するための図である。図４において、既設制御盤１には、その裏面にケーブル取出口１５が形成されている。そして、新設制御盤５の制御装置６からの延長ケーブル１３は、既設制御盤１の裏側から上記ケーブル取出口１５を通って、その一端部が各中継ユニット１０の中継端子１１に接続されている。
【００２２】
なお、延長ケーブル１３を既設制御盤１の裏側から配線する場合には、延長ケーブル１３の接続作業前に、既設制御盤１の制御装置２を予め取り外しておく必要がある。即ち、既設配線３を既設制御盤１から新設制御盤５に切り替える際の上記手順ａ乃至ｅに加え、延長ケーブル１３の接続作業となる上記手順ｃの前までに、以下の作業を実施しておく必要がある。
ｆ）既設制御盤１の稼動中に、制御装置２を既設制御盤１から取り外し、ケーブル取出口１５を開口させる。
そして、上記手順ｆを実施した後、手順ｃにおいて、図４に示す状態となるように、延長ケーブル１３の接続作業を行う。
【００２３】
この発明の実施の形態３によれば、中継ユニット１０と新設制御盤５との接続を、既設制御盤１の裏面から行うことができるようになる。その他は、実施の形態１と同様の構成を有しており、実施の形態１の場合と同様の更新手順を実施することによって、同様の効果を奏することが可能となる。
【００２４】
実施の形態４．
図５はこの発明の実施の形態４における制御盤の更新方法を説明するための図である。図５において、既設制御盤１には、それまで制御装置２が取り付けられていた位置に、新設制御盤５の制御装置６が設けられている。そして、制御ケーブル１３は、既設制御盤１及び中継枠７の内部で、制御装置６のカード側端子台１６と中継ユニット１０の中継端子１１との間に接続されている。
【００２５】
なお、図５に示すように、既設制御盤１及び中継枠７の内部で制御ケーブル１３の接続を行うためには、延長ケーブル１３の接続作業前に、制御装置２を既設制御盤１から取り外し、新設制御盤５の制御装置６を既設制御盤１に取り付けておく必要がある。即ち、既設配線３を既設制御盤１から新設制御盤５に切り替える際の上記手順ａ乃至ｅに加え、延長ケーブル１３の接続作業となる上記手順ｃの前までに、以下の作業を実施しておく必要がある。
ｇ）既設制御盤１の稼動中に、制御装置２を既設制御盤１から取り外し、新設制御盤５の制御装置６を既設制御盤１に取り付ける。
そして、上記手順ｇを実施した後、手順ｃにおいて、図５に示す状態となるように、延長ケーブル１３の接続作業を行う。
【００２６】
この発明の実施の形態４によれば、中継ユニット１０と新設制御盤５の制御装置６との接続を、既設制御盤１及び中継枠７の内部で行うことができるようになる。その他は、実施の形態１と同様の構成を有しており、実施の形態１の場合と同様の更新手順を実施することによって、同様の効果を奏することが可能となる。
【図面の簡単な説明】
【００２７】
【図１】この発明の実施の形態１における制御盤の更新方法を説明するための図である。
【図２】この発明の実施の形態１における中継枠の構成を示す図である。
【図３】この発明の実施の形態２における制御盤の更新方法を説明するための図である。
【図４】この発明の実施の形態３における制御盤の更新方法を説明するための図である。
【図５】この発明の実施の形態４における制御盤の更新方法を説明するための図である。
【図６】従来における制御盤の更新方法を説明するための図である。
【符号の説明】
【００２８】
１  既設制御盤
２  制御装置
３  既設配線
４  カード側端子台
５  新設制御盤
６  制御装置
７  中継枠
８  中継パネル
９  天井ケーブルダクト
１０  中継ユニット
１１  中継端子
１２  カード側端子受け
１３  延長ケーブル
１４  ケーブル取出口
１５  ケーブル取出口
１６  カード側端子台
１７  中継端子台
１８  延長ケーブル
１９  中継ケーブル
【図１】
2008289280.tif 000003
【図２】
2008289280.tif 000004
【図３】
2008289280.tif 000005
【図４】
2008289280.tif 000006
【図５】
2008289280.tif 000007
【図６】
2008289280.tif 000008